(57)【要約】      （修正有）【課題】広大なスペースで駐車位置が判らなくなった場合に、または駐車位置を忘れてしまった場合に、駐車位置を探すのに時間が掛かってしまう問題を、容易、且つ確実に駐車位置を探すことを可能とする探索システムを提供する。【解決手段】自分の車から発信される発信機１、もしくは受信機２の位置情報を知らせてくれる位置情報発信手段、位置を知らせる信号を受信する受信機２により構成され、受信機２に内蔵された表示部３に示される発信機の発信方向に従って歩いていくことにより、自分の駐車位置に近づくことができ、また所定の範囲内に近づいた時に検知機能４により知らせることで、自分の駐車位置に辿り着くことができる。【選択図】図１
0003151564.tif 000002
【実用新案登録請求の範囲】
【請求項１】
自分の車の位置を方角により指し示す受信機兼表示機にて、離れた場所からでも自分の車を探し出すことが容易にできるシステム
【請求項２】
車体から識別可能な信号を発信し、受信機によりその信号を受け取り車体から発信されている信号の発信方角を受信機兼表示機にて指し示すシステム
【請求項３】
車体から離れる際に受信機兼表示機が車体の位置を記憶し、受信機兼表示機が記憶位置への方角を指し示すシステム
【考案の詳細な説明】
【技術分野】
【０００１】
本発明は、駐車スペースにおいて容易に自分の車を探すことを可能にした探索システムおよび探索機に関するものである。
【背景技術】
【０００２】
広大な駐車場スペースにおいて、自分の駐車場位置に目印が無い場合や、駐車位置を忘れてしまった場合等に、自分の車を探すのは容易な行為ではなかった。
【考案の開示】
【考案が解決しようとする課題】
【０００３】
広大な駐車スペースにおいて、自分の車を探すのは容易な行為ではなかった。したがって、自分の駐車した位置を指し示す信号を受信機により受け取り、受信機から見た駐車位置との方角を知らせることで駐車位置に辿り着けるよう誘導し、前述の欠点を解決しようとするものである。
【課題を解決するための手段】
【０００４】
本発明は、自分の車から識別可能な信号を発信する発信機と、その信号を受信する受信機、もしくはＧＰＳ等の位置検出信号を受信できる受信機から構成されており、受信機は信号が発信している自分の車位置の方角、もしくは記憶させた位置（自分の車）とＧＰＳにより認識している受信機との方角を方位磁針のように表示し、その方角に歩いていくと自分の車を発見可能となり、問題を解決している。
【考案の効果】
【０００５】
上述の様に自分の車が、どの方角かを受信機で表示するため、目印の無い広大な駐車スペースや駐車位置を忘れた場合でも、容易で、且つ確実に駐車位置を見つける事ができる。
【考案を実施するための最良の形態】
【０００６】
本発明の自分の車の方角を受信機兼表示機により表示する。また近距離に近づいた場合に検知音もしくは検知ランプ等で知らせることで、自分の車の駐車位置を見つけることが出来る。
【実施例】
【０００７】
以下、添付図に従って実施例を説明する。初めに、本発明品の構成要素から説明する。１は識別可能な信号を発信する発信機、２は発信機１より発信される識別信号を受信し、発信信号の方角を知らせる表示部３と、近距離に近づいた時に知らせる検知機能４をもった受信機、３は受信機２に内蔵されており発信信号の発しられている方角を示す表示部、４は受信機２に内蔵されており発信機１（駐車位置）に近づいた時に知らせる検知機能、５は受信機のある位置情報を教えてくれる位置情報発信手段である。
【０００８】
受信機２は、自動車のエンジンスタート用の鍵もしくは、それに相当するものと一体化する方が、より好ましい。
【０００９】
次に本発明品の使用方法について説明する。発信機１を使用する場合は、駐車位置を探したい時に、受信機２に内蔵された表示部３に示される、発信機１の発信方向に従って歩いていくと、自分の駐車位置に近づくことができ、また所定の範囲内に近づいた時に検知機能４により知らせることで、自分の駐車位置に辿り着くことができる。
【００１０】
ＧＰＳ等の位置情報発信手段５を使用する場合は、自分の車から離れる場合に受信機２はＧＰＳ等により駐車位置を記憶する。車から離れて駐車位置を探したい時は、受信機２は位置情報発信手段５より受信機の位置を取得し、記憶した駐車位置の方角を表示部３に示し、その方角に従って歩いていくと自分の駐車位置に近づくことができ、また所定の範囲内に近づいた時に検知機能４により知らせることで、自分の駐車位置に辿り着くことができる。
【００１１】
本発明の一実施例は上記の如き構成と使用方法からなるものであるから、広大な駐車スペースで容易に駐車位置が見つけられない時、及び駐車位置を忘れてしまった時でも、容易、且つ確実に駐車位置を見つけることが可能である。
【図面の簡単な説明】
【００１２】
【図１】本発明の駐車位置を探す際のシステム例１を示した図である。
【図２】本発明の駐車位置を探す際のシステム例２を示した図である。
【図３】受信機２の実施形状例１である。
【図４】受信機２の実施形状例２である。
【図５】受信位置１での表示部３の表示状態を示した図である。
【図６】受信位置２での表示部３の表示状態を示した図である。
【図７】受信位置３での表示部３の表示状態を示した図である。
【図８】受信位置４での検知機能の動作状態を示した図である。
【符号の説明】
【００１３】
１  発信機
２  受信機
３  表示部
４  検知機能
５  位置情報発信手段
【図１】
0003151564.tif 000003
【図２】
0003151564.tif 000004
【図３】
0003151564.tif 000005
【図４】
0003151564.tif 000006
【図５】
0003151564.tif 000007
【図６】
0003151564.tif 000008
【図７】
0003151564.tif 000009
【図８】
0003151564.tif 000010
【手続補正書】
【提出日】平成21年1月15日(2009.1.15)
【手続補正１】
【補正対象書類名】実用新案登録請求の範囲
【補正対象項目名】全文
【補正方法】変更
【補正の内容】
【実用新案登録請求の範囲】
【請求項１】
自分の車の位置を方角により指し示す受信機兼表示機にて、離れた場所からでも自分の車を探し出すことが容易にできるシステム
【請求項２】
車体から識別可能な信号を発信し、受信機兼表示機によりその信号を受け取り車体から発信されている信号の発信方角を受信機兼表示機にて指し示すことを特徴とする請求項１記載のシステム
【請求項３】
車体の位置を記憶させたい時に受信機兼表示機が車体の位置をＧＰＳ（ｇｌｏｂａｌ  ｐｏｓｉｔｉｏｎｉｎｇ  ｓｙｓｔｅｍ）等の位置特定手段により記憶し、離れた場所より車体を探したい時に受信機兼表示機が現在の位置からみた記憶位置への方角を指し示すことを特徴とする請求項１記載のシステム
【手続補正書】
【提出日】平成21年3月30日(2009.3.30)
【手続補正１】
【補正対象書類名】実用新案登録請求の範囲
【補正対象項目名】全文
【補正方法】変更
【補正の内容】
【実用新案登録請求の範囲】
【請求項１】
自分の車の位置を方角により指し示す受信機兼表示機にて、離れた場所からでも自分の車を探し出すことが容易にできるシステムであって、車体位置を知らせる信号を受信機兼表示機にて受信し、その信号の情報より受信機兼表示機からみた車体の方角を受信機兼表示機にて指し示すことを特徴とするシステム。
【請求項２】
車体から発信された識別可能な信号を受信機兼表示機にて受信し、車体から発信さている信号の発信方角を受信機兼表示機にて指し示すことを特徴とする請求項１記載のシステム。
【請求項３】
車体から離れる際に車体位置を、受信機兼表示機がＧＰＳ（全地球無線測位システム）からの信号にて受信記憶し、車体を探索したい時は、その時点でのＧＰＳからの受信信号を元に受信機兼表示機の位置から見た記憶位置（車体位置）の方角を受信機兼表示機にて指し示すことを特徴とする請求項１記載のシステム。